(57)【特許請求の範囲】
【請求項１】
複数のケーブルと、該複数のケーブルを電気的に接続する部分となる接続部と、を有し、前記接続部から前記複数のケーブルの各ケーブルが引き出されたユニットケーブルにおいて、
前記接続部は、
前記複数のケーブルを二つのケーブル群に分け、かつ、各ケーブル群が互いに逆方向に引き出されるように前記複数のケーブルを接続し、
前記複数のケーブルを接続保持する部分となる接続保持部と、
固定先に設けたボルトに固定するため、該ボルトを挿通するためのボルト挿通孔を有し、少なくとも前記ボルト挿通孔の孔内壁面を軟質性の樹脂で形成し、かつ、前記ボルトのネジ溝に引っ掛かるように形成することによって、前記ボルトへの固定、および、前記ボルトからの離脱を可能にする固定部と、
を有し、
当該ユニットケーブルは、
前記二つのケーブル群の各ケーブル群を環状に束ねる
ことを特徴とするユニットケーブル。
【請求項２】
前記二つのケーブル群は、
互いに逆巻きに巻き取ることを特徴とする請求項１に記載のユニットケーブル。
【請求項３】
前記接続部は、
前記複数のケーブルを溶接によって電気的に接続することを特徴とする請求項１または２に記載のユニットケーブル。
【請求項４】
前記ケーブルは、
フラットケーブルである場合、前記各ケーブル群の各ケーブルを該ケーブルの断面長径方向の幅の中心を揃えるように互いの平坦面を重ね合わせた状態で環状に束ねる
ことを特徴とする請求項１、２または３に記載のユニットケーブル。
【請求項５】
前記接続部は、
前記固定部に対して前記ボルト挿通孔の前記ボルトの挿通方向に直交する方向で前記固定部に一体的に前記接続保持部を設ける
ことを特徴とする請求項１、２、３または４に記載のユニットケーブル。
【発明の詳細な説明】
【技術分野】
【０００１】
本発明は、複数のケーブルと、該複数のケーブルを電気的に接続する部分となる接続部と、を有するユニットケーブルに関する。
【背景技術】
【０００２】
従来、建物の屋内配線を行う場合、電気配線回路に対応して複数のケーブルを、いわゆる、ジョイントボックス等の接続部で接続したユニットケーブルを用いることによって、屋内配線工事の効率化を図るようにしている。
【０００３】
このようなユニットケーブルは、接続部から電源、照明器具等に配線されるケーブルが引き出された状態になっているので、ユニットケーブルのケーブル同士が絡まることを防ぐ為、結束テープ、あるいは、結束バンド等でケーブルを円環状に束ねている。
【０００４】
例えば、特許文献１には、ケーブルの配線作業に対応して、結束テープ、あるいは、結束バンド等によるケーブルの結束箇所を定めることによって、屋内配線工事の途中でのケーブルを円環状に巻き廻したり、固定したりする作業を省略することを可能にしたユニットケーブルが記載されている。
【先行技術文献】
【特許文献】
【０００５】
【特許文献１】特開平１１−２０５９７２号公報
【発明の概要】
【発明が解決しようとする課題】
【０００６】
しかしながら、特許文献１に記載されたユニットケーブルは、接続部から放射状にケーブルが引き出されているため、接続部から多方向に引き出した複数のケーブルをコンパクトにまとめ難いという問題があった。
【０００７】
一方、図９に示すように、接続部１１０の一側面から複数のケーブル１０を引きしたユニットケーブル１００がある。このようなユニットケーブル１００は、接続部１１０から引き出した複数のケーブル１０をコンパクトにまとめ易いものの（図９（ａ）参照）、結束を解いて配線作業を行っている間（図９（ｂ）参照）にケーブル１０同士が絡まりやすいという問題がある。
【０００８】
本発明は、上記に鑑みてなされたものであって、接続部から引き出されたケーブルをコンパクトにまとめ易くし、しかも、ケーブル同士を絡まり難くすることができるユニットケーブルを提供することを目的とする。
【課題を解決するための手段】
【０００９】
上述した課題を解決し、目的を達成するために、本発明の請求項１に係るユニットケーブルは、複数のケーブルと、該複数のケーブルを電気的に接続する部分となる接続部と、を有し、前記接続部から前記複数のケーブルの各ケーブルが引き出されたユニットケーブルにおいて、前記接続部は、前記複数のケーブルを二つのケーブル群に分け、かつ、各ケーブル群が互いに逆方向に引き出されるように前記複数のケーブルを接続し、当該ユニットケーブルは、前記二つのケーブル群の各ケーブル群を環状に束ねることを特徴とする。
【００１０】
また、本発明の請求項２に係るユニットケーブルは、上記の発明において、前記二つのケーブル群は、互いに逆巻きに巻き取ることを特徴とする。
【００１１】
また、本発明の請求項３に係るユニットケーブルは、上記の発明において、前記接続部は、前記複数のケーブルを溶接によって電気的に接続することを特徴とする。
【００１２】
また、本発明の請求項４に係るユニットケーブルは、上記の発明において、前記ケーブルは、フラットケーブルである場合、前記各ケーブル群の各ケーブルを該ケーブルの断面長径方向の幅の中心を揃えるように互いの平坦面を重ね合わせた状態で環状に束ねることを特徴とする。
【００１３】
また、本発明の請求項１に係るユニットケーブルは、上記の発明において、前記接続部は、前記複数のケーブルを接続保持する部分となる接続保持部と、固定先に設けたボルトに固定するため、該ボルトを挿通するためのボルト挿通孔を有し、少なくとも前記ボルト挿通孔の孔内壁面を軟質性の樹脂で形成し、かつ、前記ボルトのネジ溝に引っ掛かるように形成することによって、前記ボルトへの固定、および、前記ボルトからの離脱を可能にする固定部と、を有することを特徴とすることを特徴とする。
【００１４】
また、本発明の請求項５に係るユニットケーブルは、上記の発明において、前記接続部は、前記固定部に対して前記ボルト挿通孔の前記ボルトの挿通方向に直交する方向で前記固定部に一体的に前記接続保持部を設けることを特徴とする。
【発明の効果】
【００１５】
本発明の請求項１に係るユニットケーブルは、前記接続部が前記複数のケーブルを二つのケーブル群に分け、かつ、各ケーブル群が互いに逆方向に引き出されるように前記複数のケーブルを接続し、当該ユニットケーブルが前記二つのケーブル群の各ケーブル群を互いに逆巻きに巻き取った環状に束ねているので、前記接続部を基準とする中心線が前記二つのケーブル群の各ケーブル群の輪の中心を通るように、各ケーブル群の環状に束ねた部分を重ね合わせることによって、ユニットケーブルを一つ環状に巻かれたケーブルと同様にコンパクトにまとめることができ、しかも、各ケーブル群の前記ケーブルの結束を外したとしても、前記複数のケーブルを前記二つのケーブル群に分けて前記接続部から束となって引き出される前記ケーブルの数を減らすようにしいるので、前記ケーブル同士が互いに絡まり難くなっているので、結果的に、接続部から引き出されたケーブルをコンパクトにまとめ易くし、しかも、ケーブル同士を絡まり難くすることができる。
【００１６】
本発明の請求項２に係るユニットケーブルは、前記二つのケーブル群を互いに逆巻きに巻き取っているので、前記二つのケーブル群のケーブルの前記端末部が重なり合ったとしても、それぞれの前記端末部が巻き方向を逆向きにした状態で引き出されるようになっているので、前記ケーブル同士をさらに互いに絡まり難くすることができる。
【００１７】
本発明の請求項３に係るユニットケーブルは、前記各ケーブル群が前記接続部から互いに逆方向に引き出されることで、前記複数のケーブルを溶接によって電気的に接続することができる。
【００１８】
本発明の請求項４に係るユニットケーブルは、前記ケーブルがフラットケーブルである場合、前記各ケーブル群の各ケーブルを該ケーブルの断面長径方向の幅の中心を揃えるように互いの平坦面を重ね合わせた状態で環状に束ねているので、前記接続部で互いに接続する各ケーブル同士を近接した位置で保持し易くなっており、結果的に、溶接によって前記複数のケーブルを電気的に接続する場合、溶接が確実に行われることによって、溶接部分の強度を高めることができる。
【００１９】
本発明の請求項１に係るユニットケーブルは、前記固定部が前記ボルト挿通孔の前記孔内壁面を軟質性の樹脂で形成し、かつ、前記ボルトのネジ溝に引っ掛かるように形成することによって、前記ボルトへの固定、および、前記ボルトからの離脱を可能にするので、前記ボルト挿通孔に前記ボルトを挿通する際には、軟質性の樹脂からなる突起等の前記ネジ溝に引っ掛かる部分が弾性変形することによって前記ボルト挿通孔に前記ボルトを挿通することができる孔内空間を確保することができ、前記ボルト挿通孔に前記ボルトを挿通完了した状態で軟質性の樹脂からなる突起等の前記ネジ溝に引っ掛かる部分が弾性復元することによって前記ネジ溝に引っ掛かるようにすることができるので、結果的に、前記ボルト挿通孔に前記ボルトを挿通するだけで前記接続部を固定先に容易に固定することができる。
【００２０】
本発明の請求項５に係るユニットケーブルは、前記接続部が前記固定部に対して前記ボルト挿通孔の前記ボルトの挿通方向に直交する方向で前記固定部に一体的に前記接続保持部を設けているので、鉛直下方に突設した前記ボルトに前記接続部を固定する場合、前記ケーブルの自重により、前記接続部が前記固定部から前記接続保持部に向けて下り傾斜するように傾くため、前記ボルト挿通孔の前記孔内壁面が前記ボルトの前記ネジ溝に引っかかり易くなり、前記固定部を前記ボルトにより安定的に固定することができる。
【図面の簡単な説明】
【００２１】
【図１】図１は、本発明の実施例に係るユニットケーブルの斜視図である。
【図２】図２は、図１に示したユニットケーブルを梱包する為にコンパクトにまとめた状態を示した斜視図である。
【図３】図３は、ユニットケーブルの接続部を固定先のボルトに固定した状態を示した接続部周辺の斜視図である。
【図４】図４は、６本のケーブルの導体部を溶接によって接続した状態を説明するための接続部の断面図である。
【図５】図５は、ボルト挿通孔の複数の例を説明するため、（ａ）−（ｇ）にボルト挿通孔の断面図を並べて示した図である。
【図６】図６は、ユニットケーブルを用いて屋内配線を実施する手順について説明するための図である。
【図７】図７は、（ａ）および（ｂ）が変形例１のユニットケーブルの接続部周辺を異なる方向から視た図である。
【図８】図８は、変形例２のユニットケーブルの斜視図である。
【図９】図９は、従来技術の問題点を説明するための図である。
【発明を実施するための形態】
【００２２】
以下、図面を参照して、本発明に係るユニットケーブルの好適な実施例を詳細に説明する。
【実施例】
【００２３】
図１は、本発明の実施例に係るユニットケーブル１の斜視図である。
なお、図１は、各ケーブル群１０Ａ、１０Ｂの巻き方向を矢印Ｄ１、Ｄ２で示している。
図２は、図１に示したユニットケーブル１を梱包する為にコンパクトにまとめた状態を示した斜視図である。図３は、ユニットケーブル１の接続部２０を固定先のボルトＢに固定した状態を示した接続部２０周辺の斜視図である。図４は、６本のケーブル１０の導体部１１を溶接によって接続した状態を説明するための接続部２０の断面図である。図５は、ボルト挿通孔２３の複数の例を説明するため、（ａ）−（ｇ）にボルト挿通孔２３の断面図を並べて示した図である。
本発明の実施例に係るケーブルユニット１は、建物の屋内配線工事の効率化を図るためのものである。このケーブルユニット１は、複数のケーブル１０と、複数のケーブル１０を電気的に接続する部分となる接続部２０と、を有する。
【００２４】
まず、ケーブル１０について説明する。
ケーブル１０は、例えば、ＶＶＦ（Ｖｉｎｙｌ  Ｖｉｎｙｌ  Ｆｌａｔ）ケーブルのようなフラットケーブルによって実現する。
この実施例では、断面外形が同一形状の６本のケーブル１０が接続部２０でそれぞれ接続している。
なお、ケーブル１０の本数は、６本に限らず、複数本であればその他の本数であってもよい。
また、ケーブル１０は、フラットケーブルに限らず、その他の、ケーブルを用いても構わない。例えば、断面円形状のケーブルを用いてもよい。
【００２５】
接続部２０は、６本のケーブル１０を電気回路に応じてそれぞれ電気的に接続する部分である。この接続部２０は、６本のケーブル１０を二つのケーブル群１０Ａ、１０Ｂに分け、かつ、各ケーブル群１０Ａ、１０Ｂが互いに逆方向に引き出されるように６本のケーブル１０を接続している。
より具体的には、接続部２０は、６本のケーブル１０を３本ずつ二つのケーブル群１０Ａ、１０Ｂに分け、かつ、各ケーブル群１０Ａ、１０Ｂが互いに逆方向に引き出されるように６本のケーブル１０を接続している。
【００２６】
このような接続部２０は、６本のケーブル１０を接続保持する部分となる接続保持部２１と、固定先に設けたボルトＢに固定するための部分となる固定部２２と、を有する。
【００２７】
接続保持部２１は、合成樹脂等の絶縁材料からなり、図４に示すように、各ケーブル１０の導体部１１を抵抗溶接、あるいは、超音波溶接等の溶接によって接続した部分を固定するようになっている。
このため、接続保持部２１は、各ケーブル群１０Ａ、１０Ｂが接続部２０から互いに逆方向に引き出されるようにした６本のケーブル１０を接続部２０で容易に接続することができるようになっている。
また、接続保持部２１内は、絶縁性樹脂２６によってモールドされている。
【００２８】
なお、従来、ケーブル１０の導体部１１を溶接によって電気的に接続する場合、溶接部分Ｐの強度を破断荷重１４０Ｎ以上となるように、かつ、過剰な電気的負荷をかけない条件で溶接を行うようにしている。
ここで、電気的負荷とは、溶接電流、あるいは、溶接時間等、溶接に関わる電気的負荷である。
【００２９】
この実施例のケーブルユニット１は、接続部２０が各ケーブル群１０Ａ、１０Ｂが互いに逆方向に引き出されるように複数のケーブル１０を電気的に接続するものであるため、ケーブル１０の荷重、ケーブル１０に負荷される外力等が溶接部分Ｐに負荷され易い構造になっている。
このため、ユニットケーブル１は、複数のケーブル１０の接続部分の強度をより高める為、従来に比べて溶接条件の電気的負荷を上げるようにしている。
【００３０】
なお、この実施例のケーブルユニット１は、接続部２０が溶接によって複数のケーブル１０を電気的に接続するものを例示したが、複数のケーブル１０が電気回路に応じてそれぞれ電気的に接続することができれば、複数のケーブル１０を溶接以外のその他の接続方法によって電気的に接続するようにしてもよい。例えば、いわゆるスリーブ等の加締め部材を用いて加締めることによって複数のケーブル１０を電気的に接続するようにしてもよい。
【００３１】
固定部２２は、固定先に設けたボルトＢに固定するためのものであり、ボルトＢを挿通するためのボルト挿通孔２３を有する。
【００３２】
ボルト挿通孔２３は、少なくとも孔内壁面２３ａを軟質性の樹脂で形成し、かつ、ボルトＢのネジ溝Ｂ１に引っ掛かるように形成することによって、固定部２２のボルトＢへの固定、および、ボルトＢからの離脱を可能にしている。
より具体的には、ボルト挿通孔２３は、軟質性の樹脂によって形成した孔内壁面２３ａに、後述する突起等、ネジ溝Ｂ１に引っ掛かる部分を形成する。
これにより、軟質性の樹脂からなる突起等のネジ溝Ｂ１に引っ掛かる部分は、ボルト挿通孔２３にボルトＢを挿通する際には、弾性変形することによってボルト挿通孔２３にボルトＢを挿通することができる孔内空間を確保するようになっている。
一方、軟質性の樹脂からなる突起等のネジ溝Ｂ１に引っ掛かる部分は、ボルトＢをボルト挿通孔２３に挿通完了した状態で弾性復元することによってネジ溝Ｂ１に引っ掛かるようになっている。
【００３３】
ここで、図５を用いて、ボルト挿通孔２３の複数の例を説明する。
図５（ａ）に示すボルト挿通孔２３は、ボルトＢの挿通方向略中央位置で孔内径が最小となるように挿通方向略中央位置に孔の両端面からすり鉢状に孔内壁面を形成することによって、その孔内径が最小の部分でボルトＢのネジ溝Ｂ１が引っ掛かるようにしている。
【００３４】
また、図５（ｂ）に示すボルト挿通孔２３は、ボルトＢの挿通方向終端面で孔内径が最小となるように孔内面をすり鉢状に形成することによって、その孔内径が最小の部分でボルトＢのネジ溝Ｂ１が引っ掛かるようにしている。
【００３５】
また、図５（ｃ）に示すボルト挿通孔２３は、ボルトＢの挿通方向略中央位置でボルトＢのネジ溝Ｂ１に対応した形状で孔内周方向に沿った突起２４を形成することによって、その突起２４にボルトＢのネジ溝Ｂ１が引っ掛かるようにしている。
【００３６】
また、図５（ｄ）に示すボルト挿通孔２３は、ボルトＢの挿通方向両端面で孔内径が最小となるように挿通方向略中央位置から両端面に向けてすり鉢状に孔内面を形成することによって、その孔内径が最小の部分でボルトＢのネジ溝Ｂ１が引っ掛かるようにしている。
【００３７】
また、図５（ｅ）に示すボルト挿通孔２３は、ボルト挿通孔２３の軸Ｃを斜めに傾斜することによって孔内壁面２３ａがボルトＢのネジ溝Ｂ１に引っ掛かるようにしている。
【００３８】
また、図５（ｆ）に示すボルト挿通孔２３は、ボルトＢの挿通方向略中央の領域にボルトＢのネジ溝Ｂ１に対応した形状で孔内周方向に沿った複数の突起２４を形成することによって、その複数の突起２４にボルトＢの複数のネジ溝Ｂ１が引っ掛かるようにしている。
【００３９】
また、図５（ｇ）に示すボルト挿通孔２３は、ボルトＢの挿通方向略中央の領域に内周方向に沿ったリップ状の突起２５を形成することによって、その突起２５にボルトＢのネジ溝Ｂ１が引っ掛かるようにしている。
【００４０】
接続部２０は、各ケーブル群１０Ａ、１０Ｂのケーブル１０がボルト挿通孔２３の軸方向に互いの平坦面１２を向けて重ね合わさるように並んで配置されている。
【００４１】
また、接続部２０は、固定部２２に対してボルト挿通孔２３のボルトＢの挿通方向に直交する方向で固定部２２に一体的に接続保持部２１を設けている。
このため、接続部２０は、図３に示すように、固定先に鉛直下方に突設したボルトＢをボルト挿通孔２３に挿通して接続部２０を固定すると、６本のケーブル１０の自重によって、接続部２０が固定部２２から接続保持部２１に向けて下り傾斜するように傾く。
これにより、ボルト挿通孔２３の孔内壁面２３ａがボルトＢのネジ溝Ｂ１に引っかかり易くなり、固定部２２をボルトＢにより安定的に固定することができるようになっている。
【００４２】
このようなユニットケーブル１は、二つのケーブル群１０Ａ，１０Ｂの各ケーブル群１０Ａ，１０Ｂを互いに逆巻きに巻き取った環状に束ねている。
なお、各ケーブル群１０Ａ，１０Ｂは、例えば、結束バンドＵ１、あるいは、結束テープＵ２、を用いて束ねている。
【００４３】
また、ユニットケーブル１は、各ケーブル群１０Ａ、１０Ｂの各ケーブル１０をケーブル１０の断面長径方向の幅の中心を揃えるように互いの平坦面を重ね合わせた状態で環状に束ねている。
なお、この実施例では、６本のケーブル１０の断面外形が同じであるため、各ケーブル１０は、平坦面の両端を揃えるようにして重ね合される。
このため、各ケーブル群１０Ａ、１０Ｂのケーブル１０は、接続部２０でボルト挿通孔２３の軸に直交する方向に互いの平坦面１２を向けて重ね合わさるように並んで配置されている。
これにより、接続部２０で各ケーブル１０の導体部１１の位置を所定位置に保持し易くなっており（図４参照）、互いに接続する各ケーブル１０同士を近接した位置で保持し易く、結果的に、溶接が確実に行われることによって溶接部分Ｐの強度を高めることができるようになっている。
【００４４】
また、ユニットケーブル１は、梱包形態として、図２に示すように、各ケーブル群１０Ａ、１０Ｂの環状に束ねた部分を重ね合わせるようにしいる。
より具体的には、ユニットケーブル１は、接続部２０を基準とする中心線Ｃが各ケーブル群１０Ａ、１０Ｂの輪の中心を通るように、各ケーブル群１０Ａ、１０Ｂの環状に束ねた部分を重ね合わせる。
これにより、ユニットケーブル１は、一つ環状に巻かれたケーブル１０と同様にコンパクトにまとめることができる。
しかも、各ケーブル群１０Ａ、１０Ｂのケーブル１０の端末部が重なり合ったとしても、それぞれの端末部１３が巻き方向を逆向きにした状態で引き出されるようになっているので、互いに絡まり難くなっている。
【００４５】
次に、図６を用いて、ユニットケーブル１を用いて屋内配線を実施する手順について説明する。
図６は、ユニットケーブル１を用いて屋内配線を実施する手順について説明するための図である。
【００４６】
まず、作業者は、接続部２０を建物の天井等の固定先に固定する（図６（ａ）参照）。ここで、固定部２２のボルト挿通孔２３がボルトＢのネジ溝Ｂ１に引っ掛かるようになっているので、ボルト挿通孔２３にボルトＢを挿通するだけで、すなわち、ワンタッチで接続部２０を固定先に固定することができる。
【００４７】
その後、作業者は、接続部２０をボルトＢに固定した状態で、各ケーブル群１０Ａ、１０Ｂを束ねている結束バンドＵ１、あるいは、結束テープＵ２等を取り外し、各ケーブル１０を建物の設計に応じたルートで配線する（図６（ｂ）参照）。このとき、６本のケーブル１０が接続部２０から３本ずつ二つのケーブル群１０Ａ、１０Ｂに分けられた状態で互いに逆方向に引き出され、しかも、各ケーブル群１０Ａ、１０Ｂのケーブル１０の端末部１３が巻き方向を逆向きにした状態で引き出されているので、各ケーブル１０が絡まり難くなっている。
【００４８】
本発明の実施例に係るユニットケーブル１は、接続部２０が６本のケーブル１０を二つのケーブル群１０Ａ、１０Ｂに分け、かつ、各ケーブル群１０Ａ、１０Ｂが互いに逆方向に引き出されるように６本のケーブル１０を接続し、ユニットケーブル１が二つのケーブル群１０Ａ、１０Ｂの各ケーブル群１０Ａ、１０Ｂを互いに逆巻きに巻き取った環状に束ねているので、接続部２０を基準とする中心線Ｃが二つのケーブル群１０Ａ、１０Ｂの各ケーブル群１０Ａ、１０Ｂの輪の中心を通るように、各ケーブル群１０Ａ、１０Ｂの環状に束ねた部分を重ね合わせることによって、ユニットケーブル１を一つ環状に巻かれたケーブルと同様にコンパクトにまとめることができ、しかも、各ケーブル群１０Ａ、１０Ｂのケーブル１０の結束を外したとしても、６本のケーブル１０を二つのケーブル群１０Ａ、１０Ｂに分けて接続部２０から束となって引き出されるケーブル１０の数を減らすようにしいるので、ケーブル１０同士が互いに絡まり難くなっているので、結果的に、接続部２０から引き出されたケーブル１０をコンパクトにまとめ易くし、しかも、ケーブル１０同士を絡まり難くすることができる。
【００４９】
また、本発明の実施例に係るユニットケーブル１は、二つのケーブル群１０Ａ、１０Ｂを互いに逆巻きに巻き取っているので、二つのケーブル群１０Ａ、１０Ｂのケーブル１０の端末部１３が重なり合ったとしても、それぞれの端末部１３が巻き方向を逆向きにした状態で引き出されるようになっているので、ケーブル１０同士をさらに互いに絡まり難くすることができる。
【００５０】
また、本発明の実施例に係るユニットケーブル１は、各ケーブル群１０Ａ、１０Ｂが接続部２０から互いに逆方向に引き出されることで、６本のケーブル１０を溶接によって電気的に接続することができる。
【００５１】
また、本発明の実施例に係るユニットケーブル１は、ケーブル１０がフラットケーブルである場合、各ケーブル群１０Ａ、１０Ｂの各ケーブル１０をケーブル１０の断面長径方向の幅の中心を揃えるように互いの平坦面を重ね合わせた状態で環状に束ねているので、接続部２０で互いに接続する各ケーブル１０同士を近接した位置で保持し易くなっており、結果的に、溶接によって６本のケーブルを電気的に接続する場合、溶接が確実に行われることによって、溶接部分Ｐの強度を高めることができる。
【００５２】
また、本発明の実施例に係るユニットケーブル１は、固定部２２がボルト挿通孔２３の孔内壁面２３ａを軟質性の樹脂で形成し、かつ、ボルトＢのネジ溝Ｂ１に引っ掛かるように形成することによって、ボルトＢへの固定、および、ボルトＢからの離脱を可能にするので、ボルト挿通孔２３にボルトＢを挿通する際には、軟質性の樹脂からなる突起等のネジ溝Ｂ１に引っ掛かる部分が弾性変形することによってボルト挿通孔２３にボルトＢを挿通することができる孔内空間を確保することができ、ボルト挿通孔２３にボルトＢを挿通完了した状態で、軟質性の樹脂からなる突起等のネジ溝Ｂ１に引っ掛かる部分が弾性復元することによってネジ溝Ｂ１に引っ掛かるようにすることができるので、結果的に、ボルト挿通孔２３にボルトＢを挿通するだけで接続部２０を固定先に容易に固定することができる。
【００５３】
また、本発明の実施例に係るユニットケーブル１は、接続部２０が固定部２２に対してボルト挿通孔２３のボルトＢの挿通方向に直交する方向で固定部２２に一体的に接続保持部２１を設けているので、鉛直下方に突設したボルトＢに接続部２０を固定する場合、ケーブル１０の自重により、接続部２０が固定部２２から接続保持部２１に向けて下り傾斜するように傾くため、ボルト挿通孔２３の孔内壁面２３ａがボルトＢのネジ溝Ｂ１に引っかかり易くなり、固定部２２をボルトＢにより安定的に固定することができる。
（変形例１）
【００５４】
次に、図７を用いて本発明の実施例に係るユニットケーブル１の変形例１について説明する。
図７は、（ａ）および（ｂ）が変形例１のユニットケーブル２の接続部３０周辺を異なる方向から視た図である。
この変形例１のユニットケーブル２は、接続部３０が異なる点で実施例のユニットケーブル１と異なる。
なお、その他の構成は実施例と同様であり、実施例と同一構成部分には同一符号を付している。
【００５５】
この変形例１のユニットケーブル２は、接続部３０が、接続保持部３１と固定部３２とが実施例の接続部２０に比べてより強固に連結する構造になっている。
【００５６】
また、接続部３０は、各ケーブル群１０Ａ、１０Ｂのケーブル１０がボルト挿通孔２３の軸方向に互いの平坦面１２を向けて重ね合わさるように並んで配置されている。
【００５７】
この変形例１のユニットケーブル２は、実施例のユニットケーブル１と同様の効果を奏することができる。
（変形例２）
【００５８】
次に、図８を用いて本発明の実施例に係るユニットケーブル３の変形例２ついて説明する。
図８は、変形例２のユニットケーブル３の斜視図である。
この変形例２ユニットケーブル３は、二つのケーブル群１０Ａ、１０Ｂの巻き取り方向を同一方にしている点で実施例のユニットケーブル１と異なる。
なお、その他の構成は実施例と同様であり、実施例と同一構成部分には同一符号を付している。
【００５９】
この変形例２のユニットケーブル３は、実施例１のユニットケーブル１と同様に、複数のケーブル１０を二つのケーブル群１０Ａ、１０Ｂに分け、かつ、各ケーブル群１０Ａ、１０Ｂが互いに逆方向に引き出されるように複数のケーブル１０を接続しているので、接続部３０を基準とする中心線Ｃが二つのケーブル群１０Ａ、１０Ｂの各ケーブル群１０Ａ、１０Ｂの輪の中心を通るように、各ケーブル群１０Ａ、１０Ｂの環状に束ねた部分を重ね合わせることによって、ユニットケーブル２を一つ環状に巻かれたケーブルと同様にコンパクトにまとめることができ、しかも、各ケーブル群１０Ａ、１０Ｂのケーブル１０の結束を外したとしても、６本のケーブル１０を二つのケーブル群１０Ａ、１０Ｂに分けて接続部３０から束となって引き出されるケーブル１０の数を減らすようにしいるので、ケーブル１０同士が互いに絡まり難くなっているので、結果的に、接続部３０から引き出されたケーブル１０をコンパクトにまとめ易くし、しかも、ケーブル１０同士を絡まり難くすることができる。
【００６０】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６１】
１、２、３      ユニットケーブル
１０            ケーブル
１０Ａ、１０Ｂ  ケーブル群
１１            導体部
１２            平坦面
１３            端末部
２０、３０      接続部
２１、３１      接続保持部
２２、３２      固定部
２３            ボルト挿通孔
２３ａ          孔内壁面
２４、２５      突起
２６            絶縁性樹脂
Ｂ              ボルト
Ｂ１            ネジ溝
Ｕ１            結束バンド
Ｕ２            結束テープ
Ｐ              溶接部分
【図１】
0006539527.tif 000002
【図２】
0006539527.tif 000003
【図３】
0006539527.tif 000004
【図４】
0006539527.tif 000005
【図５】
0006539527.tif 000006
【図６】
0006539527.tif 000007
【図７】
0006539527.tif 000008
【図８】
0006539527.tif 000009
【図９】
0006539527.tif 000010